(57)【要約】【課題】利用者がテレビ番組を実際に見る表示部の拡大と、それに伴う使い勝手や操作性を向上させた開閉式通信端末装置を提供することにある。【解決手段】テレビ映像を通常表示している正常姿勢から上部筐体１ａを開くと、制御部１０７は、閉状態検出スイッチ２３及び開状態検出スイッチ２４からの出力信号により、閉じた状態から開いた状態になったことを認識すると共に、外面表示装置１０９ａに通常表示しているテレビ映像を消去し、下部内面表示装置１０９ｃに表示していたテレビ番組を左に９０°回転及び画面いっぱいに拡大して表示する。制御部１０７は、タッチパネルである上部内面表示装置１０９ｂにテレビ番組の操作画面を表示して、ユーザが上部内面表示装置１０９ｂに触ることにより操作情報を入力すると、操作情報に基づいてテレビ番組を切り替えて表示する。【選択図】図４
2008206131.tif 000002
【特許請求の範囲】
【請求項１】
操作部と外面表示装置が設けられた上部筐体に下部筐体が開閉可能に接続され、両筐体が
閉じた状態で前記操作部を操作することによって受信したテレビ番組を前記外面表示装置
に表示するように構成された開閉式通信端末装置において、
該開閉式通信端末装置本体が上下左右どちらを向いているかを検知する姿勢センサと、
前記上部筐体及び前記下部筐体の開閉状態を検出する開閉状態検出手段と、
前記上部筐体の内面に設けられた上部内面表示装置と、
前記下部筐体の内面に設けられた下部内面表示装置と、
前記外面表示装置に表示中のテレビ番組の表示を前記上部内面表示装置及び前記下部内面
表示装置へ切り替える制御を行なう表示制御手段とを具備し、
前記表示制御手段は、前記姿勢センサの出力を有効にして、両筐体が閉じた状態で受信したテレビ番組を前記外面表示装置に表示中に、前記開閉状態検出手段が開状態になったことを検出した場合、前記姿勢センサから出力される姿勢データにより、前記上部内面表示装置又は前記下部内面表示装置のいずれか一方に表示中の前記テレビ番組の映像を回転及び拡大して表示すること、
を特徴とする開閉式通信端末装置。
【請求項２】
請求項１に記載の開閉式通信端末装置において、
前記上部内面表示装置は、画面を押さえることにより情報入力が可能なタッチパネルであ
り、
前記表示制御手段は、前記姿勢センサの出力を有効にして、両筐体が閉じた状態で受信したテレビ番組を前記外面表示装置に表示中に、前記開閉状態検出手段が開状態になったことを検出した場合、前記姿勢センサから出力される姿勢データにより、前記上部内面表示装置又は前記下部内面表示装置のいずれか一方に表示中の前記テレビ番組の映像を回転及び拡大して表示すると共に、映像を拡大表示した前記テレビ番組の操作画面を前記上部内面表示装置に表示し、前記上部内面表示装置により操作情報が入力されたとき、前記操作情報に基づいてテレビ番組を切り替えて表示すること、
を特徴とする開閉式通信端末装置。
【発明の詳細な説明】
【技術分野】
【０００１】
本発明は、開閉式通信端末装置に係り、更に詳しくは、操作部と外面表示装置が設けら
れた上部筐体に下部筐体が開閉可能に接続され、両筐体が閉じた状態で前記操作部を操作
することによって受信したテレビ番組を前記外面表示装置に表示するように構成された開
閉式通信端末装置に関する。
【背景技術】
【０００２】
一般に携帯電話機やＰＨＳ、ＣＤＭＡ(Code Division Multiple Access)方式の通信機
器及びＰＤＡ（Personal Digital Assistance：個人用の携帯情報端末）に代表される通
信端末装置は、待ち受け状態（つまり、基地局からの呼び出し待ち中）において、呼び出
されている電話番号を報知するための制御チャネルを監視して、自己の識別番号を検出す
ると、所定の接続手順に従って通話チャネルに接続し、その後において、相手方との会話
や相手の顔などの画像を見ることが可能となる。
【０００３】
また、最近の携帯電話では、ワンセグ（１セグメント放送）と呼ばれる移動体向けの地
上デジタル放送を受信して、提供される各種テレビ番組を映像と音声で楽しむことができ
るようになっている。
【０００４】
例えば、テレビジョン放送の番組映像を見る際の使い勝手を一段と向上し得る携帯端末
を実現する発明（特許文献１）として、「表示部筐体２と操作部筐体３とがヒンジ部４を
介して開閉自在に連結された折畳式携帯電話機１において、開状態時に露出する表示部筐
体正面２Ａに主表示部５を設け、開状態及び閉状態に関わらず常に露出する表示部筐体背
面２Ｂに副表示部１０を設け、開状態時には地上デジタルテレビジョン放送の番組映像を
主表示部５に表示し、閉状態時には当該番組映像を副表示部１０に表示するようにした。
これにより表示部筐体２と操作部筐体３とが開状態のときはもちろんのこと閉状態のとき
であっても地上デジタルテレビジョン放送の番組映像を見ることができる。」という携帯
端末が公開されている。
【発明の開示】
【発明が解決しようとする課題】
【０００５】
ところで、上記特許文献１に記載の携帯端末では、その選択図に記載されている通り、
主表示部５と副表示部１０とが設けられているが、テレビジョン番組を利用者が見る表示
領域としては不十分であり、拡大する工夫が為されているとは言い難い。
【０００６】
この表示領域の拡大を実現する発明（特許文献２）として、「折畳み式の液晶ディスプ
レー画面を備えていて、サイズの軽量化及び小型化すると共に大面積ディスプレーを具現
するモバイル端末機を提供する」ことを課題とし、「入力手段を備えた本体部と、本体部
に連結される第１表示部と、第１表示部に連結されて、第１表示部と相互に相対的に稼動
される第２表示部と、第１表示部に形成される第１平板表示装置と、第２表示部に形成さ
れる第２平板表示装置を含むモバイル端末機であって、第１表示部及び第２表示部は、結
合され各々の第１表示部及び第２表示部よりさらに大きい第３表示部を構成することを特
徴とする。」という折畳み式液晶ディスプレー画面を備えたモバイル端末機が出願公開さ
れている。
【０００７】
しかしながら、特許文献２に記載の発明では、確かにテレビジョン放送の番組表示領域
の拡大にはなっているが、その図２Ｂ、図７Ｃ、図８Ｃ及び図１３等に示されているよう
に、単に表示領域を拡大するだけであり、実際にテレビ番組を見る利用者の操作性を考慮
したものとはなっていない。
【０００８】
本発明は、上記の問題点を解決する為になされたものであり、利用者がテレビ番組を実
際に見る表示部の拡大と、それに伴う使い勝手や操作性を向上させた開閉式通信端末装置
を提供することを目的とする。
【０００９】
なお、他の従来技術（特許文献３）としては、「携帯性を維持したままで、通常状態で
動作可能にすると共にＴＶ電話や電子メール等の多量の情報を表示可能な携帯電話装置を
提供する。」ことを課題とし、「ヒンジＨを介して相互に折り畳み可能に構成された本体
１１および表示部１４を有し、表示部１４には第１表示部（前面表示部）１６および表示
部１４の側面等にヒンジ１９で連結された第２表示部（背面表示部）１７が設けられる。
通常状態では、第１表示部１６および第２表示部１７は独立した表示部として動作する。
一方、第２表示部１７が展開されると、両表示部１６、１７が並列して配置され、この展
開を検出器で検出して両表示部１６、１７を「２画面モード」で動作可能にする。」とい
う携帯電話装置が出願公開されている。
【特許文献１】特開２００５−０３３６４２
【特許文献２】特開２００６−１７４４３５
【特許文献３】特開２００５−２２３５０７
【課題を解決するための手段】
【００１０】
請求項１に係る本発明の開閉式通信端末装置は、上記の目的を達成するために、操作部と外面表示装置が設けられた上部筐体に下部筐体が開閉可能に接続され、両筐体が閉じた状態で前記操作部を操作することによって受信したテレビ番組を前記外面表示装置に表示するように構成された開閉式通信端末装置において、該開閉式通信端末装置本体が上下左右どちらを向いているかを検知する姿勢センサと、前記上部筐体及び前記下部筐体の開閉状態を検出する開閉状態検出手段と、前記上部筐体の内面に設けられた上部内面表示装置と、前記下部筐体の内面に設けられた下部内面表示装置と、前記外面表示装置に表示中のテレビ番組の表示を前記上部内面表示装置及び前記下部内面表示装置へ切り替える制御を行なう表示制御手段とを具備し、前記表示制御手段は、前記姿勢センサの出力を有効にして、両筐体が閉じた状態で受信したテレビ番組を前記外面表示装置に表示中に、前記開閉状態検出手段が開状態になったことを検出した場合、前記姿勢センサから出力される姿勢データにより、前記上部内面表示装置又は前記下部内面表示装置のいずれか一方に表示中の前記テレビ番組の映像を回転及び拡大して表示することを特徴とする。
【００１１】
請求項２に係る本発明の開閉式通信端末装置は、請求項１に記載の開閉式通信端末装置において、前記上部内面表示装置は、画面を押さえることにより情報入力が可能なタッチパネルであり、前記表示制御手段は、前記姿勢センサの出力を有効にして、両筐体が閉じた状態で受信したテレビ番組を前記外面表示装置に表示中に、前記開閉状態検出手段が開状態になったことを検出した場合、前記姿勢センサから出力される姿勢データにより、前記上部内面表示装置又は前記下部内面表示装置のいずれか一方に表示中の前記テレビ番組の映像を回転及び拡大して表示すると共に、映像を拡大表示した前記テレビ番組の操作画面を前記上部内面表示装置に表示し、前記上部内面表示装置により操作情報が入力されたとき、前記操作情報に基づいてテレビ番組を切り替えて表示することを特徴とする。
【００１２】
本発明の開閉式通信端末装置は、操作部と外面表示装置が設けられた上部筐体に下部筐体が開閉可能に接続され、両筐体が閉じた状態で前記操作部を操作することによって受信したテレビ番組を前記外面表示装置に表示するように構成された開閉式通信端末装置において、前記上部筐体及び前記下部筐体の開閉状態を検出する開閉状態検出手段と、前記上部筐体の内面に設けられた上部内面表示装置と、前記下部筐体の内面に設けられた下部内面表示装置と、前記外面表示装置に表示中のテレビ番組の表示を前記上部内面表示装置及び前記下部内面表示装置へ切り替える制御を行なう表示制御手段とを具備し、前記表示制御手段は、両筐体が閉じた状態で受信したテレビ番組を前記外面表示装置に表示中に、前記開閉状態検出手段が開かれた後に完全開状態になったことを検出した場合、前記上部内面表示装置及び前記下部内面表示装置の両方に跨って表示中の前記テレビ番組を拡大して表示することを特徴とする。
【００１３】
本発明の開閉式通信端末装置は、上記開閉式通信端末装置において、前記上部内面表示装置は、画面を押さえることにより情報入力が可能なタッチパネルであり、前記表示制御手段は、両筐体が閉じた状態で受信したテレビ番組を前記外面表示装置に表示中に、前記開閉状態検出手段が開かれた後に完全開状態になったことを検出した場合、前記上部内面表示装置及び前記下部内面表示装置の両方に跨って表示中の前記テレビ番組を拡大して表示すると共に、前記上部内面表示装置の非画面表示部に拡大表示したテレビ番組の操作画面を表示し、前記上部内面表示装置により操作情報が入力されたとき、前記操作情報に基づいてテレビ番組を切り替えて表示することを特徴とする。
【発明の効果】
【００１４】
本発明に係る開閉式通信端末装置によれば、表示制御手段は、両筐体が閉じた状態で受
信したテレビ番組を前記外面表示装置に表示中に、前記開閉状態検出手段が開状態になっ
たことを検出した場合、前記上部内面表示装置又は前記下部内面表示装置のいずれか一方
に表示中の前記テレビ番組を拡大して表示する。従って、利用者は開閉式通信端末装置を
開状態にするだけで、テレビ番組の表示部を拡大できる。
【００１５】
また、タッチパネルである上部内面表示装置により操作情報が入力されたとき、前記操
作情報に基づいてテレビ番組を切り替えて表示するので、利用者の操作性が向上する。
【００１６】
本発明に係る開閉式通信端末装置によれば、表示制御手段は、両筐体が閉じた状態で受
信したテレビ番組を前記外面表示装置に表示中に、前記開閉状態検出手段が開かれた後に
完全開状態になったことを検出した場合、前記上部内面表示装置及び前記下部内面表示装
置の両方に跨って表示中の前記テレビ番組を拡大して表示する。従って、利用者は開閉式
通信端末装置を開状態にするだけで、テレビ番組の表示部を拡大できる。
【００１７】
また、タッチパネルである上部内面表示装置により操作情報が入力されたとき、前記操
作情報に基づいてテレビ番組を切り替えて表示するので、利用者の操作性が向上する。
【発明を実施するための最良の形態】
【００１８】
以下、本発明の実施の形態を図面と共に詳細に説明する。なお、本発明に係る開閉式通
信端末装置として、横開きの折畳式携帯電話を一実施例に取り上げる。
【００１９】
図１は、本発明に係る携帯電話の閉じた状態の外観図であり、図１（Ａ）が左側面図お
よび図１（Ｂ）が正面図である。
【００２０】
１は、上部筐体１ａと下部筐体１ｂからなる折畳式携帯電話本体であり、超小型のヒン
ジ部（図示せず）により横方向に開閉可能に接続（例えば、文庫本を開くように接続）さ
れており、通常の持ち運びや待ち受け、通話および通話に関連する操作、電子メール操作
やテレビ番組の選択操作及び簡易表示は、この閉じた状態で行う。なお、待ち受け状態で
は、内蔵携帯用アンテナ（図示せず）で通話やメール通信に必要な電波を間欠的に送受信
信する。
【００２１】
なお、小型のヒンジ部の構造に関して、「見開き状態に開放可能な二つの表示画面を開
閉軸部に極力近接させて配置し、装置の小型化を図るようにした表示装置を得る。」こと
を課題とし、「液晶表示素子をそれぞれ備えた左ユニット１０及び右ユニット２０を開閉
軸部を介して連結した表示装置。左右のユニット１０，２０は、外装ケース１２、２２と
内カバー１３，２３とで構成され、内カバー１３，２３の開閉軸部側は半円筒状部６２，
６４が外装ケース１２，２２の半円筒状部６１，６３に係合することで固定され、その反
対側はねじ７６をボス部７５に螺着することで固定されている。」という表示装置が出願
公開されている（特開２００１−４２７９６）。そこには、「各ユニット１０，２０は、
外装ケース１２，２２と、内カバー１３，２３と、図示しない制御基板とで構成されてい
る。内カバー１３，２３は、液晶表示素子１１，２１を外装ケース１２，２２に固定する
ものであり、液晶表示素子１１，２１の画面に対応する開口部１３ａ，２３ａを有する枠
状体とされている。」（図１０参照）と開示されており、本発明の超小型のヒンジ部とし
て採用可能である。
【００２２】
２は、外面ディスプレイ（外面表示装置）であり、カラー液晶表示装置、ＤＭＤ（デジ
タル・ミラー・デバイス）や有機ＥＬ表示装置、ＰＤＰ（プラズマ・ディスプレイ・パネ
ル）などで構成され、通知すべき情報、文字情報や現在時刻情報、画像情報及びスケジュ
ール情報などの各種詳細情報を表示する。また、外面ディスプレイ２は、上部筐体１ａと
下部筐体１ｂが閉じた状態で、後述する操作部を操作することによって、内蔵ＴＶ用アン
テナ（図示せず）で受信したテレビ番組を表示するように構成されている。
【００２３】
３は、５接点ボタンであり、中央の決定ボタンとその上下左右に配置された上ボタン、
下ボタン、左ボタン及び右ボタンで構成される。
【００２４】
決定ボタンは、選択されている項目を決定するときに使用する。
【００２５】
上ボタンは、カーソルを上方向に移動させる。また、１秒以上押し続けるとカーソルが
連続して移動する。待ち受け画面で押すとデータＢＯＸが表示されるようになっている。
【００２６】
下ボタンは、カーソルを下方向に移動させる。また、１秒以上押し続けるとカーソルが
連続して移動する。待ち受け画面で押すと電話帳が表示されるようになっている。
【００２７】
左ボタンは、カーソルを左方向に移動させ、１秒以上押し続けるとカーソルが連続して
移動する。また、前の画面に戻すときに使用する。待ち受け画面で押すと着信履歴が表示
されるようになっている。
【００２８】
右ボタンは、カーソルを右方向に移動させ、１秒以上押し続けるとカーソルが連続して
移動する。また、次の画面に進むときに使用する。待ち受け画面で押すとリダイヤルが表
示されるようになっている。
【００２９】
４は、メールボタンであり、待ち受け画面で押すとメールメニューを表示する。
【００３０】
５は、インターネットボタンであり、待ち受け画面で押すとインターネットメニューを
表示する。
【００３１】
６は、メニューボタンであり、様々なメニュー項目を表示する。
【００３２】
７は、ＴＶボタンであり、テレビ電話をかけるときや受けるときに使用する。また、１
秒以上押し続けると、地上デジタル放送であるワンセグを受信して、放送事業者から提供
される各種テレビ番組の映像を外面ディスプレイ２に表示し、音声をイヤホン端子２２に
接続されたイヤホンに出力する。
【００３３】
８は、発信ボタンであり、電話をかけたり受けたりする時に使用する。
【００３４】
９は、クリアボタンであり、各種操作を中止する時に使用する。
【００３５】
１０は、電源／終了ボタンであり、電話の電源をＯＮ／ＯＦＦしたり、通話の終了や応
答を保留するときに使用する。
【００３６】
１１は、ダイヤルボタンであり、数字の０〜９と＊及び＃からなる１２個のキーで構成
され、電話番号や文字を入力する。特に、＊ボタン１２は、待ち受け画面で１秒以上押す
とＩＣカード機能をロック／解除する。また、＃ボタン１３は、待ち受け画面で１秒以上
押すとドライブモードやマナーモードを設定する。
【００３７】
１４は、充電ランプであり、充電中は赤色に点灯し、充電が終了すると消灯する。
【００３８】
１５は、マイクであり、通話中に音声を送信する。
【００３９】
１６は、レシーバ（受話器）であり、相手の声や各種メッセージなどが再生される。
【００４０】
１７は、ストラップ取り付け部である。
【００４１】
１８は、着信ランプであり、電話がかかってきたときやメールを受信したときに点滅す
る。
【００４２】
１９は、内蔵カメラであり、静止画や動画を撮影したり、テレビ電話時に自己側の映像
を送信する。
【００４３】
２０は、充電可能な電池パックであり、折畳式携帯電話１の各種電子回路に必要な電力
を供給する。
【００４４】
２１は、スライドボタンであり、上部筐体１ａと下部筐体１ｂが閉じたロック状態で上
方向にスライドさせるとロック爪が外れて、両筐体を開くことが出来るようになる。
【００４５】
２３は、閉状態検出スイッチであり、両筐体が閉じると上部筐体１ａに突設された突起
が下部筐体１ｂに設けられたマイクロスイッチを押すことにより、電気的に導通して閉状
態を検知する。このマイクロスイッチに換えて、フォトセンサを使用することも出来る。
なお、図示していないが、同様の構成の開状態検出スイッチ２４が右側面に設けられてお
り、両筐体が完全に開いたことを検知する。つまり、（１）閉状態検出スイッチ２３がＯ
Ｎで開状態検出スイッチ２４がＯＦＦであれば、完全に閉じた状態、（２）閉状態検出ス
イッチ２３がＯＦＦで開状態検出スイッチ２４がＯＮであれば、完全に開いた状態、及び
（３）閉状態検出スイッチ２３と開状態検出スイッチ２４が共にＯＦＦであれば、開いた
状態であり、この３つの状態を検出可能である。
【００４６】
図２は、本発明に係る携帯電話の回路構成を示すブロック図であり、例えば、第三世代
のＩＳ−９５(Interim Standard 95)ベースのＣＤＭＡ方式携帯電話に適用した場合を示
している。但し、通信方式に関してはＣＤＭＡ方式に限定されるものではなく、ＰＤＣ(P
ersonal Digital Cellular)やＰＨＳ(Personal HandyphoneSystem)や現在研究開発中の
第四世代移動体通信システムなど、いずれでもよい。
【００４７】
１０１は、送受信部であり、内蔵する携帯用アンテナ１１４で受信した音声や映像及び
各種制御信号が含まれる電波信号を中間周波数帯に変換したり、中間周波数帯の送信信号
を無線周波数帯に変換して送受信する。
【００４８】
１０２は、モデム部であり、携帯電話の通話やメール処理等に必要な送受信信号を変復
調する。なお、モデム（MOdulator-DEModulator）とは、「変復調装置」の略であり、コ
ンピュータから送られてくるデジタルデータを音声信号に変換して電話回線に流したり、
電話回線を通じて聞こえてくる音声信号をデジタルデータに変換する装置である。
【００４９】
１０３は、音声コーデック部であり、音声信号の符号化や復号化を行う。なお、コーデ
ック（COder DECoder）とは、アナログ信号をデジタルデータに変換したり、その逆をお
こなう電子回路である。また、信号やデータを一定の規則に従って符号化／復号化する回
路や装置及びソフトウェアのことであり、音声や画像の記録や伝達に用いられる。
【００５０】
１０４は、アナログフロントエンド部であり、符号化された音声信号をデジタル／アナ
ログ変換してレシーバ１６を駆動したり、マイク１５より入力された音声信号をアナログ
／デジタル変換して音声コーデック部１０３に出力する。
【００５１】
１０５は、テレビチューナ部であり、ＴＶ用アンテナ１０６で受信したテレビ番組の放
送データを受信する。この放送データは、各表示オブジェクトについて、表示オブジェク
トの内容、表示オブジェクトの表示位置、および表示オブジェクトの属性を含んでいる。
【００５２】
１０７は、制御部であり、通話に必要な制御（例えば、位置登録、待ち受け、リンク確
立、ハンドオーバなどの制御）や表示制御、スケジュール管理制御など通信端末装置に関
する全ての制御を行う。特に、この表示制御には、ワンセグ放送される各種テレビ番組の
表示画面の切替制御を含む。
【００５３】
１０８は、キー入力部であり、ＲＯＭ１１ａに記憶する制御プログラムで規定された操
作手順に従って、必要なデータを制御部１０７に入力する。
【００５４】
１０９は、外面表示装置１０９ａ、上部内面表示装置１０９ｂ及び下部内面表示装置１
０９ｃで構成される表示部であり、カラー液晶表示装置（カラーＬＣＤ装置）や有機ＥＬ
（有機エレクトロ・ルミネッセンス）及びＰＤＰ（プラズマ・ディスプレイ・パネル）な
どから成り、発呼者データ、画像データ、ワンセグ放送番組及び二次元バーコードなど必
要な情報画像や映像を適宜表示する。特に、上部内面表示装置１０９ｂは、ディスプレイ
モニタとマトリクス・スイッチ等を組み合わせたタッチパネルであり、制御部１０７から
映像信号を受け取って画面上に表示する機能と、画面上の点または領域に手で触れたり、
スタイラスと呼ばれる専用の器具で圧力を加えて、画面上に入力された位置情報を処理し
て指定の動作を実行する制御部１０７へと伝達動作を行うものである。なお、外面表示装
置１０９ａ及び下部内面表示装置１０９ｃも、タッチパネルにしてもよい。
【００５５】
１１０は、大容量のＲＯＭ１１０ａ及びＲＡＭ１１０ｂからなる記憶部であり、発呼や
電子メールの送受信に使用する電話帳データ、写真や二次元バーコード等の画像データ、
ワンセグ放送番組の映像データ、スケジュール管理データ、着信メロディの楽曲データ及
び保留メロディデータなどを記憶する。
【００５６】
１１１は、メロディ発生部であり、記憶部１１０が記憶する着信メロディの楽曲データ
や受信した楽曲データに基づいて、着信メロディを発生させる。また、通話中においてキ
ー入力部８の保留キーが操作されると、通話相手に対応する着信メロディをモデム部２、
送受信部１およびアンテナ１５を経由して送信する。ただし、音声コーデック部３を経由
する場合もある。なお、メロディ発生部１１１は、スピーカ１７を含む。
【００５７】
１１２は、イヤホン端子であり、ワンセグ放送番組の音声信号や内蔵機能であるＭＰ３
プレーやからの楽曲信号を出力し、接続されるイヤホンなどで再生する。
【００５８】
１１３は、カメラ部であり、前述した内蔵カメラ１９が対応する。
【００５９】
１１５は、開閉状態検出部（手段）であり、前述した閉状態検出スイッチ２３及び開状
態検出スイッチ２４が対応する。
【００６０】
１１６は、姿勢センサであり、携帯電話本体１が上下左右どちらを向いているかを検知
する。この姿勢センサ１１６は、携帯電話、デジタルカメラや液晶プロジェクターが正し
く設置されているかの情報を得るために、当該装置や機器へ組み込む用途を狙った機械式
のセンサで、ローム社やオムロン社が既に開発しており、「CEATEC JAPAN 2006」の会場
で展示している。また、日立研究所は、携帯電話に加速度と磁気に加え、ジャイロ（角速
度）、気圧、温度の各センサを内蔵した姿勢検知センサを使った地図表示システムを発表
しているので、その詳細は省略する。
【００６１】
つぎに、上述のように構成された本発明に係る開閉式通信端末装置のＴＶ映像切替動作
について詳細に説明する。
【００６２】
まず、ユーザがキー入力部１０８の電源／終了ボタン１０を操作して電源をＯＮにする
と、制御部１０７は初期チェックを行った後、異常が無ければ、所定の通信プロトコルに
従って基地局と必要な情報を交信し、位置登録を行って待ち受け状態に入る。
【００６３】
制御部１０７は、この待ち受け状態において、所定の時間間隔で割り当てられた制御チ
ャネル（呼び出し番号の報知チャネル）に接続して呼び出されたか否かを監視（間欠的に
自己の識別番号を検出）する一方、監視していない状態では不要な回路への電力供給を停
止して節電を図っている。制御部１０７は、制御チャネル上に自己の識別番号を検出する
と、基地局と所定の接続手順（接続プロトコル）に従って通話チャネルに接続すると、ユ
ーザは呼び出し相手と通話することが可能となる。なお、接続プロトコルについては周知
であり、直接本発明に関係しないので詳細説明を省略する。
【００６４】
図３は、本発明に係る携帯電話の外観図であり、図３（Ａ）が閉じた状態の正常姿勢、
図３（Ｂ）が左横姿勢、図３（Ｃ）が右横姿勢及び図３（Ｄ）が転倒姿勢である。
【００６５】
上述した待ち受け状態において、ユーザが図３（Ａ）の正常姿勢でキー入力部１０８を
操作（ＴＶボタン７を１秒以上押し続ける操作）して、地上デジタル放送であるワンセグ
テレビ番組を受像選択する。
【００６６】
制御部１０７は、姿勢センサ１１６から出力される姿勢データにより、現在の状態が正
常姿勢であることを認識すると共に、データバスを経由して、テレビチューナ部１０５か
ら指定されたテレビ番組の放送データを受け取り、一旦ＲＡＭ１１０ｂに記憶し、その映
像データに基づいてテレビ番組の映像を外面表示装置１０９ａに通常表示する（つまり、
携帯電話本体１の上方向と映像の上方向を一致させて表示する）。一例として、結婚式の
ＴＶ番組（花嫁のウェディングドレスを子供二人が持って歩いている映像と音声）が流れ
ていると仮定する。
【００６７】
図３（Ａ）の正常姿勢から、ユーザが携帯電話本体１を左横に９０°倒すと、制御部１
０７は、姿勢センサ１１６から出力される姿勢データにより、現在の状態が左横姿勢であ
ることを認識すると共に、外面表示装置１０９ａに通常表示しているテレビ映像を右に９
０°回転させる（図３（Ｂ）参照）。
【００６８】
一方、図３（Ａ）の正常姿勢から、ユーザが携帯電話本体１を右横に９０°倒すと、制
御部１０７は、姿勢センサ１１６から出力される姿勢データにより、現在の状態が右横姿
勢であることを認識すると共に、外面表示装置１０９ａに通常表示しているテレビ映像を
左に９０°回転させる（図３（Ｃ）参照）。
【００６９】
また、図３（Ｂ）が左横姿勢又は図３（Ｃ）の右横姿勢から、ユーザが携帯電話本体１
をそれぞれ９０°回転させると、制御部１０７は、姿勢センサ１１６から出力される姿勢
データにより、現在の状態が転倒姿勢であることを認識すると共に、外面表示装置１０９
ａに通常表示しているテレビ映像を更に９０°回転させる（図３（Ｄ）参照）。
【００７０】
次に、本発明に係る開閉式通信端末装置を閉じた状態から開いた状態にしたときのＴＶ
映像切替動作について、ユーザが姿勢センサ出力を有効／無効に設定した場合に分けて詳
細に説明する。なお、この姿勢センサ出力の有効／無効は単に機能設定でユーザの好みに
応じて選択するだけであり、選択操作は本願発明と直接関係無いので説明を省略する。
【００７１】
実施例１（姿勢センサ出力を無効にした場合）：
図４は、本発明に係る携帯電話の外観図であり、図４（Ａ）が閉じた状態、図４（Ｂ）
が開いた状態を示している。また、図４（Ｃ）は、図４（Ｂ）を左から見た状態を示して
いる。なお、制御部１０７は、姿勢センサ出力が無効に設定されているので、折畳式携帯
電話本体１の姿勢に拘らず、以下の通りに表示制御を行う。
【００７２】
図３（Ａ）と同じ図４（Ａ）のテレビ映像を通常表示している正常姿勢から、ユーザが
スライドボタン２１をスライドさせてロック爪を外し、上部筐体１ａを開くと、制御部１
０７は、閉状態検出スイッチ２３及び開状態検出スイッチ２４からの出力信号により、閉
じた状態から開いた状態になったことを認識すると共に、外面表示装置１０９ａに通常表
示しているテレビ映像を消去し、下部内面表示装置１０９ｃに表示していたテレビ番組を
左に９０°回転及び画面いっぱいに拡大して表示する（図４（Ｂ）参照）。
【００７３】
また、制御部１０７は、タッチパネルである上部内面表示装置１０９ｂにテレビ番組の
操作画面を表示する（図４（Ｃ）参照）。そして、ユーザが上部内面表示装置１０９ｂに
触ることにより操作情報を入力すると、操作情報に基づいてテレビ番組を切り替えて表示
する。
【００７４】
図５は、本発明に係る携帯電話の外観図であり、図５（Ａ）が閉じた状態、図５（Ｂ）
が開いた状態及び図５（Ｃ）は完全に開いた状態を示している。
【００７５】
図４（Ａ）と同じ図５（Ａ）のテレビ映像を通常表示している正常姿勢から、上部筐体
１ａを開くと、外面表示装置１０９ａに通常表示しているテレビ映像を消去して、図４（
Ｂ）と同じ図５（Ｂ）のように下部内面表示装置１０９ｃに表示していたテレビ番組を左
に９０°回転及び画面いっぱいに拡大して表示する。また、制御部１０７は、図４（Ｃ）
と同様に、タッチパネルである上部内面表示装置１０９ｂにテレビ番組の操作画面を表示
する。
【００７６】
そして、ユーザが上部筐体１ａを完全に開くと、制御部１０７は、閉状態検出スイッチ
２３及び開状態検出スイッチ２４からの出力信号により、開いた状態から完全に開いた状
態になったことを認識すると共に、下部内面表示装置１０９ｃに表示していたテレビ番組
を右に９０°回転させて、上部内面表示装置１０９ｂ及び下部内面表示装置１０９ｃに跨
って両画面いっぱいに拡大して表示する（分割表示：図５（Ｃ）参照）。なお、図に示す
とおり、制御部１０７は、テレビ番組映像の上端を上部内面表示装置１０９ｂ及び下部内
面表示装置１０９ｃの上端面に合わせて表示する。
【００７７】
なお、二つの表示装置に一つの映像を表示する分割表示技術に関して、「複数画面の間
に境界部分が介在していても、境界部分にそれほど邪魔されることなく必要な情報を表示
できる表示装置及びその駆動方法を得る。」ことを課題とし、「間に境界部分４を介在し
て並設された液晶表示パネル３Ａ，３Ｂを備えた表示装置。１枚の原画像を表示パネル３
Ａ，３Ｂに分割して表示する際に、原画像が画像データである場合、境界部分４に対応す
るアドレスのデータをいずれの表示パネル３Ａ，３Ｂにも表示させない第１のモードで駆
動する。原画像が文字データである場合、境界部分４に対応するアドレスのデータを含め
て二つの表示パネル３Ａ，３Ｂに表示させる第２のモードで駆動する。」という表示装置
及びその駆動方法が出願公開されている（特開２００２−６８２２）。
【００７８】
当該先行技術の明細書第００１８乃至第００２０段落には、「原画像は図１１（Ａ）に
示すものとし、そのデータ構造はヘッダと表示データで構成されている。表示パネル３Ａ
，３Ｂの間に境界部分４が存在せずに隙間なく構成されていれば問題は生じない。しかし
、パネル構造上境界部分４が介在することになり、１枚の原画像を単純に分割して表示パ
ネル３Ａ，３Ｂに表示すると、境界部分４で図形の形が変形して見えてしまう。例えば、
図１１（Ｃ）の画面上部に表示されている楕円形状に見える図形は、原画像では円形であ
る。
【００７９】
前記不具合に対処するには、境界部分４を表示しない方法を採用することが考えられる
。例えば、図１１（Ｂ）に示す表示方法であり、画面上部の図形は原画像どおり円形に見
える。しかし、原画像の文字データ部分は境界部分４がマスクされてしまい、重要な情報
の欠落を生じてしまう。
【００８０】
そこで、本実施形態では、原画像が画像データである場合、その不具合の生じにくい図
１１（Ｂ）に示す態様（以下、モード１と称する）で表示することにし、原画像が文字デ
ータである場合、中央部分の重要な情報が欠落することのない図１１（Ｃ）に示す態様（
以下、モード２と称する）で表示することにした。なお、モード２では各表示パネル３Ａ
，３Ｂにおいて、原画像の両側端部が欠落することになるが、両側端部は文字データでは
通常余白部であり、実質的に情報が欠落するおそれはない。また、図１１（Ａ）には原画
像データとして画像データと文字データの両方が図示されているが実際はいずれか一方が
画像メモリに記憶されている。」（図１１参照）と開示されており、本発明の分割表示技
術として採用可能である。
【００８１】
また、制御部１０７は、タッチパネルである上部内面表示装置１０９ｂの下部にテレビ
番組の操作画面を表示し、ユーザが操作画面に触ることにより操作情報を入力すると、操
作情報に基づいてテレビ番組を切り替えて表示する。
【００８２】
図６は、本発明に係る携帯電話の外観図であり、図５との相違点は図５（Ｃ）と図６（
Ｃ）の完全に開いた状態だけであるので、その点だけを説明し他を省略する。
を示している。
【００８３】
図６（Ｂ）の開いた状態（図５（Ｂ）と同じ状態）から、ユーザが上部筐体１ａを完全
に開くと、制御部１０７は、閉状態検出スイッチ２３及び開状態検出スイッチ２４からの
出力信号により、開いた状態から完全に開いた状態になったことを認識すると共に、下部
内面表示装置１０９ｃに表示していたテレビ番組を回転させることなく、上部内面表示装
置１０９ｂ及び下部内面表示装置１０９ｃに跨って両画面いっぱいに拡大して表示する。
なお、図に示すとおり、制御部１０７は、テレビ番組映像の上端を下部内面表示装置１０
９ｃの左端面に合わせて表示する（図６（Ｃ）参照）。
【００８４】
また、制御部１０７は、タッチパネルである上部内面表示装置１０９ｂの下部にテレビ
番組の操作画面を表示し、ユーザが操作画面に触ることにより操作情報を入力すると、操
作情報に基づいてテレビ番組を切り替えて表示する。
【００８５】
実施例２（姿勢センサ出力を有効にした場合）：
図７は、本発明に係る携帯電話の外観図であり、図７（Ａ）が閉じた状態、図７（Ｂ）
が開いた状態を示している。また、図７（Ｃ）は、図７（Ｂ）を左から見た状態を示して
いる。なお、制御部１０７は、姿勢センサ出力が有効に設定されているので、折畳式携帯
電話本体１の姿勢に従って、以下の通りに表示制御を行う。
【００８６】
図４（Ａ）と同じ図７（Ａ）のテレビ映像を通常表示している正常姿勢から、ユーザが
スライドボタン２１をスライドさせてロック爪を外し、上部筐体１ａを開くと、制御部１
０７は、姿勢センサ１１６から出力される姿勢データにより、現在の状態が正常姿勢であ
ること及び閉状態検出スイッチ２３及び開状態検出スイッチ２４からの出力信号により、
閉じた状態から開いた状態になったことを認識すると共に、外面表示装置１０９ａに通常
表示しているテレビ映像を消去し、表示していたテレビ番組を回転させることなく横方向
に最大限拡大して下部内面表示装置１０９ｃに表示する（図７（Ｂ）参照）。
【００８７】
また、制御部１０７は、タッチパネルである上部内面表示装置１０９ｂにテレビ番組の
操作画面を回転させることなく表示する（図７（Ｃ）参照）。そして、ユーザが上部内面
表示装置１０９ｂに触ることにより操作情報を入力すると、操作情報に基づいてテレビ番
組を切り替えて表示する。なお、ユーザ操作により、下部内面表示装置１０９ｃの下方部
に、メール作成画面やＷＥＢ画面等をマルチウインドウ表示することも可能である。
【００８８】
図８は、本発明に係る携帯電話の外観図であり、図８（Ａ）及び図８（Ｂ）が開いた状
態、図８（Ｃ）が完全に開いた状態を示している。
【００８９】
図７（Ｂ）と同じ図８（Ａ）のテレビ映像を下部内面表示装置１０９ｃに表示している
状態から、ユーザが折畳式携帯電話本体１を右に９０°回転させると、姿勢センサ１１６
から出力される姿勢データにより、現在の状態が右９０°回転姿勢であることを認識する
と共に、下部内面表示装置１０９ｃに表示していたテレビ番組を左に９０°回転及び画面
いっぱいに拡大して表示し、メール作成画面は消去する（図８（Ｂ）参照）。なお、この
図８（Ｂ）の状態は、図４（Ｂ）及び図４（Ｃ）と同じ状態である。
【００９０】
そして、ユーザが上部筐体１ａを完全に開くと、制御部１０７は、閉状態検出スイッチ
２３及び開状態検出スイッチ２４からの出力信号により、右９０°回転姿勢のまま、開い
た状態から完全に開いた状態になったことを認識すると共に、下部内面表示装置１０９ｃ
に表示していたテレビ番組を回転させることなく、上部内面表示装置１０９ｂ及び下部内
面表示装置１０９ｃに跨って両画面いっぱいに拡大して表示する（図８（Ｃ）参照）。な
お、この図８（Ｃ）の状態は、図６（Ｃ）と同じ状態である。
【００９１】
また、制御部１０７は、タッチパネルである上部内面表示装置１０９ｂの下部にテレビ
番組の操作画面を表示し、ユーザが操作画面に触ることにより操作情報を入力すると、操
作情報に基づいてテレビ番組を切り替えて表示する。
【００９２】
図９は、本発明に係る携帯電話の外観図であり、図９（Ａ）が開いた状態、図９（Ｂ）
及び図９（Ｃ）が完全に開いた状態を示している。
【００９３】
図８（Ａ）と同じ図９（Ａ）のテレビ映像を下部内面表示装置１０９ｃに表示している
状態から、ユーザが上部筐体１ａを完全に開くと、正常姿勢のまま、開いた状態から完全
に開いた状態になったことを認識すると共に、下部内面表示装置１０９ｃに表示していた
テレビ番組を回転させることなく、上部内面表示装置１０９ｂ及び下部内面表示装置１０
９ｃに跨って両画面いっぱいに拡大して表示し、メール作成画面は消去する（図９（Ｂ）
参照）。なお、この図９（Ｂ）の状態は、図５（Ｃ）と同じ状態である。
【００９４】
そして、ユーザが折畳式携帯電話本体１を右に９０°回転させると、制御部１０７は、
姿勢センサ１１６から出力される姿勢データにより、現在の状態が右９０°回転姿勢であ
ることを認識すると共に、上部内面表示装置１０９ｂ及び下部内面表示装置１０９ｃに表
示していたテレビ番組を左に９０°回転させて、上部内面表示装置１０９ｂ及び下部内面
表示装置１０９ｃに跨って両画面いっぱいに拡大して表示する（図９（Ｃ）参照）。なお
、この図９（Ｃ）の状態は、図８（Ｃ）と同じ状態である。
【００９５】
また、制御部１０７は、タッチパネルである上部内面表示装置１０９ｂの下部にテレビ
番組の操作画面を表示し、ユーザが操作画面に触ることにより操作情報を入力すると、操
作情報に基づいてテレビ番組を切り替えて表示する。
【図面の簡単な説明】
【００９６】
【図１】本発明に係る携帯電話の閉じた状態の外観図である。
【図２】本発明に係る携帯電話の回路構成を示すブロック図である。
【図３】本発明に係る携帯電話の外観図である。
【図４】本発明に係る携帯電話の外観図である。
【図５】本発明に係る携帯電話の外観図である。
【図６】本発明に係る携帯電話の外観図である。
【図７】本発明に係る携帯電話の外観図である。
【図８】本発明に係る携帯電話の外観図である。
【図９】本発明に係る携帯電話の外観図である。
【図１０】本発明で採用可能な超小型のヒンジ部の説明図である。
【図１１】本発明で採用可能な分割表示技術の説明図である。
【符号の説明】
【００９７】
１        折畳式携帯電話本体
１ａ      上部筐体
１ｂ      下部筐体
２        外面ディスプレイ
３        ５接点ボタン
４        メールボタン
５        インターネットボタン
６        メニューボタン
７        ＴＶボタン
８        発信ボタン
９        クリアボタン
１０      電源／終了ボタン
１１      ダイヤルボタン
１２      ＊ボタン
１３      ＃ボタン
１５      マイク
１６      レシーバ
１７      ストラップ取り付け部
１８      着信ランプ
１９      内蔵カメラ
２０      電池パック
２１      スライドボタン
２２      イヤホン端子
２３      閉状態検出スイッチ
２４      開状態検出スイッチ
１０１    送受信部
１０２    モデム部
１０３    音声コーデック部
１０４    アナログフロントエンド部
１０５    テレビチューナ部
１０６    ＴＶ用アンテナ
１０７    制御部
１０８    キー入力部
１０９    表示部
１０９ａ  外面表示装置
１０９ｂ  上部内面表示装置
１０９ｃ  下部内面表示装置
１１０    記憶部
１１０ａ  ＲＯＭ
１１０ｂ  ＲＡＭ
１１１    メロディ発生部
１１２    イヤホン端子
１１３    カメラ部
１１４    携帯用アンテナ
１１５    開閉状態検出部
１１６    姿勢センサ
【図１】
2008206131.tif 000003
【図２】
2008206131.tif 000004
【図３】
2008206131.tif 000005
【図４】
2008206131.tif 000006
【図５】
2008206131.tif 000007
【図６】
2008206131.tif 000008
【図７】
2008206131.tif 000009
【図８】
2008206131.tif 000010
【図９】
2008206131.tif 000011
【図１０】
2008206131.tif 000012
【図１１】
2008206131.tif 000013